(57)【要約】【課題】本考案は、任意の形状に変化させて様々な外形をもつ立体製品にすることが可能な紙製の中空立体ジグソーパズルを提供する。【解決手段】本考案による紙製の中空立体ジグソーパズルは、軟らかい紙材質からなり、物体の実際の外形に応じて、複数ユニットのパズルピースに分割し、各ユニットパズルピースは五つの連結辺を備え、各パズルピースの各連結辺には、相互に係合可能な凸部或いは係合溝が設けられ、前記凸部及び係合溝と、隣接するパズルピースは相互に連結され、全てのパズルピースを連結すると、実際の物体表面と一致する中空構造が形成される。【選択図】図１
0003166704.tif 000002
【実用新案登録請求の範囲】
【請求項１】
複数ユニットのパズルピースを相互に組み合わせてなる紙製の中空立体ジグソーパズルであって、
各ユニットのパズルピースは、軟らかい紙材質からなり、各ユニットパズルピースは、五つの連結辺を備え、パズルピースの周縁の各連結辺には、凸部或いは係合溝が設けられ、その凸部の頂端の両側には係合部が設けられ、係合部の底縁は、内側に縮んでネック部を形成し、係合溝の底辺の両側は、内側に凹んで凹溝を形成し、凹溝の両側の頂縁には一対の挟み部が設けられ、
一つのユニットのパズルピースの凸部或いは係合溝を、別のユニットのパズルピースの連結辺の凸部或いは係合溝に係合し、各ユニットのパズルピースを全て組み合わせると中空の立体製品が形成され、各パズルピースの表面にはデザインが印刷され、各パズルピースを組み合わせると連続した図形になることを特徴とする、紙製の中空立体ジグソーパズル。
【請求項２】
各パズルピースの連結辺には、円弧形凸部が設けられ、円弧形凸部には、外に広がる弧状の凸縁が設けられ、弧状の凸縁の底端の両側は係合縁を形成し、各パズルピースには係合溝が設けられ、係合溝の連結辺の内側には穴部を形成し、穴部の底部の両側には裂け目が設けられ、一つの連結辺の係合縁は、別のパズルピースの連結辺の裂け目に差し込まれて連結されることを特徴とする、請求項１に記載の紙製の中空立体ジグソーパズル。
【請求項３】
前記パズルピースは、ポリエチレン、或いは、ポリプロピレン、或いは、ＥＶＡ発泡材質からなる合成紙であり、真空成型、或いは、冷圧によって形成された軟らかい弧状のパズルピースを複数組み合わせることで中空の円球体が形成されることを特徴とする、請求項１に記載の紙製の中空立体ジグソーパズル。
【請求項４】
複数ユニットのパズルピースを相互に組み合わせてなる紙製の中空立体ジグソーパズルであって、
各ユニットのパズルピースは、軟らかい紙材質からなり、各ユニットのパズルピースの連結は１ピース一体成型方式であり、前記パズルピースの連結辺には、凸部と、係合溝とが設けられ、
一つのユニットのパズルピースの凸部或いは係合溝は、別のユニットのパズルピースの対応する連結辺の凸部或いは係合溝に係合され、
１ピース一体成型方式パズルピースは、１２個の正五角形の連結片及び２０個の正六角形の連結片を相互に組み合わせてなり、各連結片の間には連結段が設けられ、隣接する二つの連結辺の表面にはデザインが設けられ、各パズルピースを組み合わせると、連続した図形になるとともに、原物に似ている中空の立体製品になることを特徴とする、紙製の中空立体ジグソーパズル。
【請求項５】
複数ユニットのパズルピースを相互に組み合わせてなる紙製の中空立体ジグソーパズルであって、
各ユニットのパズルピースは、軟らかい紙材質からなり、各ユニットのパズルピースの連結は１０ピース組合せ方式であり、前記パズルピースの連結辺には、凸部と、係合溝とが設けられ、
一つのユニットのパズルピースの凸部或いは係合溝は、別のユニットのパズルピースの対応する連結辺の凸部或いは係合溝に係合され、
１０ピース組合せ方式パズルピースは、１２個の正五角形の連結片及び２０個の正六角形の連結片を相互に組み合わせてなり、各連結片の間には連結段が設けられ、隣接する二つの連結辺の表面にはデザインが設けられ、各パズルピースを組み合わせると、連続した図形になるとともに、原物に似ている中空の立体製品になることを特徴とする、紙製の中空立体ジグソーパズル。
【考案の詳細な説明】
【技術分野】
【０００１】
本考案は紙製の中空立体ジグソーパズルに関し、特にジグソーパズルやそれに類する構造に幅広く適用され、使用者の３Ｄ立体概念に対する思考を養成するとともに、実物がどんなものかを分からせることができる、複数の軟らかい紙材質を相互に組み合わせてなる各種中空製品に関する。
【背景技術】
【０００２】
従来の紙製の立体ジグソーパズルに関しては、台湾特許第９３２１５９２６号に、「紙板による中空の立体ジグソーパズル構造」が開示されている。この構造は、紙板材料からなり、物体の実際の表面の外型に応じて複数の立体状のパズルピースに分割し、各パズルピースには、相互に連結する凹凸縁を設けるとともに、隣り合うパズルピースと連結し、全てのパズルピースを連結させると実際の物体の表面に一致する中空の立体構造が形成される。しかしながら、従来の板状のパズルピースは、一枚の大きな厚い紙板を裁断し、さらに、凹金型と凸金型でプレスして、弧度が固定された板状のパズルブロックを形成される。従って、その紙の材質は軟らかくないため折り曲げができず、それから形成された構造の外形も変形させることができない。また、紙板の中空立体のジグソーパズル構造は、各パズルピースの連結方法が、連結部に対して圧力を加えて締まりばめを行う方式であるため、連結した後の完成品の構造強度が弱く、連結が外れてしまう可能性がある。
【先行技術文献】
【特許文献】
【０００３】
【特許文献１】台湾特許第９３２１５９２６号明細書
【考案の概要】
【考案が解決しようとする課題】
【０００４】
そこで、本考案は、任意の形状に変化させて様々な外形をもつ立体製品にすることが可能な紙製の中空立体ジグソーパズルを提供することを目的とする。
【０００５】
また、本考案は、消費者が自分で組み立てることが可能で遊びの要素があり、連結構造の強度が高く、さらに、製造過程が簡単で製造を素早く行うことができ製造コストが削減可能な、紙製の中空立体ジグソーパズルを提供することを目的とする。
【課題を解決するための手段】
【０００６】
上述の目的を達成するために、本考案による紙製の中空立体ジグソーパズルは、軟らかい紙材質からなり、物体の実際の外形に応じて、複数ユニットのパズルピースに分割し、各ユニットパズルピースは五つの連結辺を備え、各パズルピースの各連結辺には、相互に係合可能な凸部或いは係合溝が設けられ、前記凸部及び係合溝と、隣接するパズルピースは相互に連結され、全てのパズルピースを連結すると、実際の物体表面と一致する中空構造が形成される。パズルピースの軟らかさにより、本考案は、動物、乗り物、建築物、球体類、マジックに使われるジグソーパズルボール、地球模型などに適用することができる。
【０００７】
実際の物体のサイズと外観に合わせて、三次元空間の比率に応じて縮小或いは拡大し、その表面を複数のユニットのパズルピースに分割及び裁断し、各パズルピースの表面にはカラーのデザインを印刷し、デザインを組み合わせると連続した図形が形成される。組み合わせた後の立体の外形は、リアルで、躍動感があり、学習教材、或いは娯楽としての機能だけでなく、装飾としての機能も兼ね備える。
【図面の簡単な説明】
【０００８】
【図１】本考案による地球模型の外観を示す斜視図である。
【図２】本考案による地球模型の構成部材を示す分解図である。
【図３】本考案による係合式パズルピースの組合せを示した概略図である。
【図４】図３を組み合わせた後の完成図である。
【図５】平板状パズルピースの正面図である。
【図５Ａ】平板状パズルピースの断面図である。
【図６】弧状のパズルピースの正面図である。
【図６Ａ】弧状のパズルピースの断面図である。
【図７】本考案の係合式パズルピースの別の実施例を示した分解図である。
【図８】本考案による差し込み式パズルピースを示した概略図である。
【図９】図８のパズルピースを組み合わせた後の外観を示した斜視図である。
【図１０Ａ】本考案の１ピース一体成型方式パズルピースを示した展開図である。
【図１０Ｂ】本考案の１ピース一体成型方式パズルピースの多辺形の連結構造を示した説明図である。
【図１１Ａ】本考案の１０ピース組合せ方式パズルピースを示した展開図である。
【図１１Ｂ】本考案の１０ピース組合せ方式パズルピースの多辺形の連結構造を示した説明図である。
【考案を実施するための形態】
【０００９】
図１と図２を参照する。本考案の実施例は、地球模型１を例にとって説明を行う。地球の実際のサイズと外観に合わせて、三次元空間の比率に応じて縮小した後、その表面を複数のユニットのパズルピース１０に分割する。各ユニットのパズルピース１０は、軟らかい紙材質からなり、図における各ユニットパズルピース１０は、少なくとも、五つの連結辺を備え、各パズルピース１０の周縁の連結辺には、少なくとも、凸部１１、或いは係合溝１２が設けられ、凸部１１と係合溝１２は、隣接するパズルピース１０の凸部１１と係合溝１２に係合される。また、ユニットのパズルピース１０の表面にはデザイン２０が印刷され、デザインを組み合わせると連続した図形になる。図２に示すように、複数のユニットのパズルピース１０を、その上に印刷されたデザインに合わせて組合せると、中空の立体構造をもつ地球模型１本体になる。
【００１０】
図３と図４を参照する。本実施例におけるパズルピース１０の凸部１１は、その頂端の両側に係合部１１１が設けられ、係合部の底縁は内側に縮んでネック部１１２を形成し、係合溝１２の底辺の両側は、内側に凹んで凹溝１２１を形成し、凹溝１２１の両側の頂縁には一対の挟み部１２２が設けられる。二つの挟み部１２２間の幅ａは、凸部１１のネック部１１２の幅ｂより小さく、ネック部１１２の幅ｂは、凹溝１２１の幅ｃより小さい。以上の構造により、本実施例では、いずれか一つの連結辺の係合部１１１と、別のユニットのパズルピース１０の連結辺の凹溝１２１の挟み部１２２とを、相互に係合させる（図４に図示）と、二つの挟み部１２２間の幅ａはネック部１１２の幅ｂより小さく、ネック部１１２の幅ｂは凹溝１２１の幅ｃより小さいため、二つのパズルピース１０を相互に固定させることができる。そして、各ユニットのパズルピース１０を適切に組み合わせると、地球模型１の形をした（図１に図示）中空立体のジグソーパズル構造が完成する。
【００１１】
図５と図６を参照する。本考案による中空立体のジグソーパズル構造において、各ユニットのパズルピース１０は、平板状の軟らかい紙材質を裁断してなり（図５、図５Ａに図示）、軟らかい紙材質の折り曲げ可能な特性を利用し、複数の平面をもつ中空球体をつくりだす。また、本考案は、自由に変化させて様々な外形の立体製品をつくりだすことができる。本考案の紙は、ポリエチレン、或いは、ポリプロピレン、或いはＥＶＡ発泡材質からなる軟らかい性質をもつ合成紙であり、それは、高い構造強度と折り曲げに対する耐久性を備えて破れにくいだけでなく、かなりの程度の変形能力も備えている。なお、本考案は、真空成型、或いは冷圧によって、弧状のパズルピース１０ａを形成させることができ（図６、図６Ａに図示）、これらの複数の弧状のパズルピース１０ａを組み合わせて円形中空の球体をつくりだすことができる。
【００１２】
図７を参照する。本実施例におけるパズルピース１０ｂの連結辺には、二つの凸部１１或いは係合溝１２が設けられ、隣り合う二つのパズルピース１０ｂには、同じ数量且つ相互に係合可能な凸部１１と係合溝１２が設けられる。以上の構造により、本考案のジグソーパズルの構造の連結強度は強くなる。
【００１３】
図８と図９を参照する。ここでは、本考案の中空立体のジグソーパズル構造の別の連結方式の実施例を示す。本実施例におけるパズルピース１０ｃの連結辺の円弧形凸部１１ａには、外に広がる弧状の凸縁１１３が設けられ、弧状の凸縁１１３の底端の両側は係合縁１１４を形成し、パズルピース１０ｃに設けられた係合溝１２ａの連結辺の内側は穴部１２３を形成し、穴部１２３の底部の両側には、裂け目１２４が設けられる。以上の構造により、本実施例では、いずれか一つの連結辺の弧状の凸縁１１３を、隣接する別のパズルピース１０ｃの連結辺の穴部１２３の裂け目１２４内に差し込み、各弧状の凸縁１１３の係合縁１１４と裂け目１２４を相互に係合させることで固定する。そして、各パズルピース１０ｃの形状或いはデザインを組み合わせると、中空の立体外観をもつ地球模型１Ａ本体（図９に図示）が形成される。各パズルピース１０ｃの表面にはデザイン２０が設けられ、組み合わせると連続した図形になる。
【００１４】
図１０Ａと図１０Ｂを参照する。図１０Ａと図１０Ｂは、中空球体のジグソーパズルの展開図を示している。本実施例では、１ピース一体成型方式のパズルピースの製造方法を例にとる。パズルピース１０ｄの連結辺には、凸部１１と、係合溝１２とが設けられる。本実施例における１ピース一体成型方式のパズルピースは、１２個の正五角形の連結片及び２０個の正六角形の連結片を相互に連結させてなる。各連結片の間には、連結段２１が設けられ、その表面にはデザイン２０が設けられ、それらを組み合わせると連続した図形になる。以上の構造により、パズルピースを原物に似ている中空の立体製品にすることができる。その連結方法は、図４に示す方法を採用し、係合部１１１のネック部１１２と凹溝１２１の挟み部１２２を相互に係合させると、中空球体のジグソーパズル構造が形成される。
【００１５】
図１１Ａと、図１１Ｂを参照する。図１１Ａと、図１１Ｂは、中空球体のジグソーパズルの展開図を示している。本実施例では、１０ピース組合せ方式による製造方法を例にとる。パズルピース１０ｄの連結辺には、凸部１１と、係合溝１２が設けられ、本実施例における１０ピース組合せ方式パズルピースは、１２個の正五角形の連結片と、２０個の六角形の連結片を相互に連結させてなる。各連結片の間には連結段２１が設けられ、その表面にはデザイン２０が設けられ、それらを組み合わせると連続した図形になる。これらのパズルピースを組み合わせると、原物に似ている中空の立体製品が形成させる。本実施例の連結方法は、図４に示す方法を採用し、係合部１１１のネック部１１２と、凹溝１２１の挟み部１２２を相互に係合させると、中空球体のジグソーパズル構造が形成される。
【００１６】
上述の内容から分かるように、本考案の構造は、以下の利点を有する。
１、ジグソーパズルが２Ｄ平面であるという従来の形式を打ち破ることができると同時に、各ピースを組み合わせて３Ｄの立体製品を形成させた時、球面にデザインが印刷されているため、製品の美観性を高めることができる。
２、各パズルピースは、軟らかい紙材質或いは合成紙を加工してなるため、安全性が高い。
【００１７】
このように、本考案のパズルピースは、軟らかい材質からなることにより、ありとあらゆる物体形状を形成させることが可能であり、従って、本考案は、各種の立体的な外形をもつ製品に適用することができる。
【符号の説明】
【００１８】
１、１Ａ      地球模型    
１０          ユニットパズルピース
１０ａ        弧状のパズルピース
１０ｂ、１０ｃ、１０ｄ    パズルピース
１１          凸部            
１１ａ        円弧形凸部
１２、１２ａ  係合溝
１１１        係合部        
１１２        ネック部
１１３        弧状の凸縁      
１１４        係合縁
１２１        凹溝          
１２２        挟み部
１２３        穴部          
１２４        裂け目
２０          デザイン
２１          連結段
【図１】
0003166704.tif 000003
【図２】
0003166704.tif 000004
【図３】
0003166704.tif 000005
【図４】
0003166704.tif 000006
【図５】
0003166704.tif 000007
【図５Ａ】
0003166704.tif 000008
【図６】
0003166704.tif 000009
【図６Ａ】
0003166704.tif 000010
【図７】
0003166704.tif 000011
【図８】
0003166704.tif 000012
【図９】
0003166704.tif 000013
【図１０Ａ】
0003166704.tif 000014
【図１０Ｂ】
0003166704.tif 000015
【図１１Ａ】
0003166704.tif 000016
【図１１Ｂ】
0003166704.tif 000017